(57)【要約】【課題】宿泊者の利便性と省エネルギーに寄与することができること。【解決手段】宿泊者が泊まる部屋のドアに設けられた錠前と、該錠前用制御装置と、部屋内に配備された電気機器に電源を供給するための使用開始スイッチをオン／オフし、かつ錠前用制御装置と有線又は無線で接続する部屋用制御装置と、この部屋用制御装置との間で省電力の近距離通信を行うことができる所持型の通信端末を備え、通信端末が、少なくとも部屋内に存在し、かつ該通信端末と該部屋用制御装置との間で近距離通信が確立した場合、該部屋用制御装置は使用開始スイッチが「オン」の状態になるように制御する宿泊施設の部屋の省エネルギー装置。【選択図】図１
2016189068.tif 000002
【特許請求の範囲】
【請求項１】
宿泊者が泊まる部屋のドアに設けられた錠前と、該錠前用制御装置と、前記部屋内に配備された電気機器に電源を供給するための使用開始スイッチをオン／オフし、かつ錠前用制御装置と有線又は無線で接続する部屋用制御装置と、この部屋用制御装置との間で省電力の近距離通信を行うことができる所持型の通信端末を備え、
前記通信端末が、少なくとも前記部屋内に存在し、かつ該通信端末と該部屋用制御装置との間で前記近距離通信が確立した場合、該部屋用制御装置は前記使用開始スイッチが「オン」の状態になるように制御する宿泊施設の部屋の省エネルギー装置。
【請求項２】
請求項１に於いて、部屋用制御装置は、使用開始スイッチが「オン」の状態が成立した後、錠前用制御装置から有線又は無線により錠前の解錠或いは施錠についての状態変化信号を取得し、かつ、通信端末と該部屋用制御装置との間で前記近距離通信が確立しない状態になった場合には、前記使用開始スイッチを「オフ」の状態になるように制御することを特徴とする宿泊施設の部屋の省エネルギー装置。
【請求項３】
請求項１に於いて、通信端末は宿泊施設側の解錠コード発行部からＩＤを取得し、該通信端末が錠前用制御装置の電波圏内に存在し、かつ該通信端末と該錠前用制御装置との間で前記近距離通信が確立した時、該錠前用制御装置は前記通信端末から前記近距離通信で前記ＩＤを取得することができることを特徴とする宿泊施設の部屋の省エネルギー装置。
【請求項４】
宿泊者が泊まる部屋のドアに設けられた錠前と、該錠前用制御装置と、前記部屋内に配備された電気機器に電源を供給するための使用開始スイッチをオン／オフし、かつ錠前用制御装置と有線又は無線で接続する部屋用制御装置と、この部屋用制御装置との間で省電力の近距離通信を行うことができると共に、宿泊施設側が前記宿泊者に手渡したブレードを有する錠前用端末キーを備え、
前記錠前用端末キーが、少なくとも前記部屋内に存在し、かつ該錠前用端末キーと該部屋用制御装置との間で前記近距離通信が確立した場合、該部屋用制御装置は前記使用開始スイッチが「オン」の状態になるように制御する宿泊施設の部屋の省エネルギー装置。
【請求項５】
請求項４に於いて、所持型の通信端末が加味され、該通信端末は宿泊施設側の解錠コード発行部からＩＤを取得し、該通信端末が錠前用制御装置の電波圏内に存在し、かつ該通信端末と該錠前用制御装置との間で前記近距離通信が確立した時、該錠前用制御装置は前記通信端末から前記近距離通信で前記ＩＤを取得することを特徴とする宿泊施設の部屋の省エネルギー装置。
【発明の詳細な説明】
【技術分野】
【０００１】
本発明は宿泊施設の一例であるホテルの部屋の省エネルギー装置に関する。
【背景技術】
【０００２】
特許文献１には、カード用スイッチ装置が記載されている。このカード用スイッチ装置は、カードの抜き差しでホテル等の室内（部屋）の照明、エアコン等をオン又はオフするものである。特許文献１の第１図、第２図及び第３図は、特許文献２の実施例形態のカードホルダーの構造と同様である（例えば特許文献２の図５参照）。この種のカード用スイッチ装置は、当業者の間では、「カードホルダー」と称され、部屋内の照明等を点灯・消灯をすることができるのみならず、前記カードを電気錠用のキー（鍵）としても使用することができる「いわゆるカードシステム」として、主にホテルで実用化されている。
【０００３】
しかしならが、「カードホルダー」は、例えばスマホ（登録商標）と称される通信端末をカードの代わりとして利用することができないのみならず、前記カードを前記カードホルダーに差込んだり又は抜き取ったりする手間がかかるという問題点があった。また、いわゆる省エネの観点から改良すべき点もあった。また出願人が提案した上記特許文献２は、宿泊者はカードキー又はＩＣタグのいずれかを選択することができるという利点を有するものの、前記ＩＣタグを利用する場合には紛失しないように、例えば通信端末や身に付ける物に貼り付けたりする必要があった。そこで、このような問題点を解決するために本発明が出現した。
【先行技術文献】
【特許文献】
【０００４】
【特許文献１】実開平３−３３９２８号公報
【特許文献２】特開２０１２−４３５５２号公報
【発明の概要】
【発明が解決しようとする課題】
【０００５】
本願発明の主たる目的は、カードをカードホルダーに差込んだり又は抜き取ったりする手間がかかるという欠点を解消すると共に、いわゆる宿泊者の利便性と省エネルギーに寄与することができることである。第２の目的は、宿泊者が部屋にいる場合に、通信端末の電源が切れた場合や通信端末が部屋用制御装置との間で通信圏外になったとしても、そのままスイッチＯＮの状態を維持することができ、一方、「在室」から「不在」になったときは、確実に部屋の電源を切ることができることである。
【課題を解決するための手段】
【０００６】
本発明の宿泊施設の部屋の省エネルギー装置は宿泊者が泊まる部屋のドアに設けられた錠前と、該錠前用制御装置と、前記部屋内に配備された電気機器に電源を供給するための使用開始スイッチをオン／オフし、かつ錠前用制御装置と有線又は無線で接続する部屋用制御装置と、この部屋用制御装置との間で省電力の近距離通信を行うことができる所持型の通信端末を備え、前記通信端末が、少なくとも前記部屋内に存在し、かつ該通信端末と該部屋用制御装置との間で前記近距離通信が確立した場合、該部屋用制御装置は前記使用開始スイッチが「オン」の状態になるように制御することを特徴とする。
【０００７】
また本発明の宿泊施設の部屋の省エネルギー装置は、宿泊者が泊まる部屋のドアに設けられた錠前と、該錠前用制御装置と、前記部屋内に配備された電気機器に電源を供給するための使用開始スイッチをオン／オフし、かつ錠前用制御装置と有線又は無線で接続する部屋用制御装置と、この部屋用制御装置との間で省電力の近距離通信を行うことができると共に、宿泊施設側が前記宿泊者に手渡したブレードを有する錠前用端末キーを備え、前記錠前用端末キーが、少なくとも前記部屋内に存在し、かつ該錠前用端末キーと該部屋用制御装置との間で前記近距離通信が確立した場合、該部屋用制御装置は前記使用開始スイッチが「オン」の状態になるように制御することを特徴とする。
【０００８】
ここでの「通信端末」は、省電力の近距離通信を行うことができると共に通信網を利用することができるスマホ（登録商標）、省電力の近距離通信を行うことができると共にユーザが所持するウェアラブル端末、省電力の近距離通信を行うことができると共にブレードを有する錠前用端末キーが含まれる。
【０００９】
またここで「省電力の近距離通信」の代表例は、Ｂｌｕｅｔｏｏｔｈ（ブルートゥース：登録商標）であり、Ｂｌｕｅｔｏｏｔｈ  Ｌｏｗ  Ｅｎｅｒｇｙ（その略称は「ＢＬＥ」）は省電力通信を行う規格名である。実施形態の通信端末は、この「ＢＬＥ」の機能を有するものである。
【００１０】
さらに、ここでの「宿泊施設」には、実施形態のホテルだけではなく、学生寮、職員寮、国、地方公共団体、会社等の従業員用の宿舎など錠前用端末キーを管理する場所の宿が含まれる。
【発明の効果】
【００１１】
（ａ）各独立請求項に記載の発明は、カードをカードホルダーに差込んだり又は抜き取ったりする手間がかかるという欠点を解消すると共に、いわゆる省エネルギーに寄与することができる。また特許文献２の如く、ＩＣダグを通信端末に貼り付けたりする必要はない。
（ｂ）請求項２に記載の発明は、使用開始スイッチが「オン」の状態に成った後、部屋用制御装置は錠前用制御装置から錠前の解錠乃至施錠の状態変化信号を取得し、かつ、通信端末と該部屋用制御装置との間で省電力の近距離通信が確立しない状態になった場合には、使用開始スイッチを「オフ」の状態になるように制御するので、宿泊者が部屋にいる場合に、通信端末の電源が切れた場合や通信端末が部屋用制御装置との間で通信圏外になったとしても、そのままスイッチＯＮの状態を維持することができ、一方、「在室」から「不在」になったときは、確実に部屋の電源を切ることができる。したがって、前記（ａ）の効果を達成することができる。
（ｃ）請求項３に記載の発明は、省電力の通信端末は宿泊施設側の解錠コード発行部からＩＤを取得し、該通信端末が省電力の錠前用制御装置の電波圏内に存在し、かつ該通信端末と該錠前用制御装置との間で前記近距離通信が確立した時、該錠前用制御装置は前記通信端末から前記近距離通信で前記ＩＤを取得することができるので、セキュリティーを保つことができると共に、前記（ａ）の効果を達成することができる。
（ｄ）請求項５に記載の発明は、セキュリティーを保つことができると共に、宿泊者の利便性が向上する。
【図面の簡単な説明】
【００１２】
図１乃至図１０は本発明の第１実施形態を示す各説明図、図１１及び図１２は本発明の第２実施形態を示す各説明図である。
【図１】省エネルギー装置の全体構成を示す概略説明図。
【図２】通信端末（以下、「端末」とも言う。）の要部を示すブロック図。
【図３】錠前用制御装置の要部を示すブロック図。
【図４】部屋用制御装置の要部を示すブロック図。
【図５】本発明の主要部を漫画的に示すもので、（ａ）錠前用制御装置とユーザが所持する端末との関係を示す概略説明図、（ｂ）部屋用制御装置とユーザが所持する端末との関係を示す概略説明図。
【図６】本発明の利点を漫画的に示すもので、（ａ）端末の電源が切れた場合でもスイッチＯＮの状態を示す概略説明図、（ｂ）端末が部屋用制御装置との通信圏外でもスイッチＯＮの状態を示す概略説明図。
【図７】本発明の利点を漫画的に示すもので、図６の（ａ）及び（ｂ）のスイッチＯＮの状態を維持することができず、「在室」から「不在」と扱う場合の条件を示す概略説明図。
【図８】錠前用制御装置が解錠する場合の処理順序を示すフローチャート。
【図９】部屋用制御装置が電気機器に電源を供給する場合の処理順序を示すフローチャート。
【図１０】部屋用制御装置が電気機器に電源を供給しない場合の処理順序を示すフローチャート。
【図１１】第２実施形態を示すシステムの全体構成を示す概略説明図。
【図１２】第２実施形態の所持型の通信端末の要部を示すブロック図。
【発明を実施するための最良の形態】
【００１３】
図１乃至図１０は、本発明の第１実施形態の宿泊施設の部屋の省エネルギー装置Ｘの各説明図である。
【００１４】
（１）全体構成の説明
以下、本発明の実施形態をホテルへの適用を例にして、図面を参照しながら説明する。まず図１において、１はホテルのフロントで、該フロント１の適宜箇所には、宿泊者Ｕ（以下、「ユーザ」という。）が泊まる各部屋Ｒの出入り口の錠前５及び該部屋の電源６を「オン」するための解錠コード（ここでは「ＩＤ」という。このＩＤには使用可能な時間情報が含まれている。）を発行する解錠コード発行部２が設けられている。この解錠コード発行部２は通信網３に接続しており、前記ユーザＵが確実に特定している場合には、例えば通信網３を介してユーザＵが所持する端末（通信端末）４に予め送信することができる。なお、解錠コード発行部２は、後述する第２実施形態の如く、ブレードを有する錠前用端末キー（電気錠がシリンダ錠を備えている場合、ブレードを前記シリンダ錠の鍵穴に差込んで機械的に解錠をすることができるキー。）をユーザＵに手渡すこともできる。
【００１５】
また解錠コード発行部２はホテル内の任意場所（たとえば、事務室等）に設置されたセンター処理部７に接続されている。実施形態では、特許文献１や特許文献２の如く「カードキー」ではなく、端末４はユーザＵが泊まるホテル側の解錠コード発行部２からＩＤを取得し、該端末４が錠前用制御装置１２の電波圏内（例えばユーザＵが泊まる部屋付近）に存在し、かつ該端末４と該錠前用制御装置１２との間で無線通信が確立した時、該錠前用制御装置１２は前記端末４から前記無線通信で前記ＩＤを取得し、かつ認証処理を行う。
【００１６】
したがって、前記ＩＤは、錠前５がホテルの各部屋Ｒのドア１１の自由端部に取り付けられた、いわゆる電気錠を解錠する鍵情報である場合には、前記錠前用制御装置１２は、図３で示すように、「ＢＬＥ」の機能を有する端末用通信部１３、錠制御部１４、記憶部１５等を有する。
【００１７】
またホテルの各部屋Ｒの内部の適宜箇所（例えばドア付近の壁やデスク、部屋の床面等）には部屋用制御装置２１が設けられ、該部屋用制御装置２１は、図４で示すように、使用開始スイッチをＯＮするための電波を受信する「ＢＬＥ」の端末用通信部２２、スイッチ用制御部２３、記憶部２４等を有する。
【００１８】
次に図２は、端末４の要部を示すブロック図である。図２に於いて、端末４は、例えば「ＢＬＥ」の機能を有する鍵用電波送受信部３１、制御部３２、鍵情報を格納した記憶部３３、認証部３４の他、出力部３５、タッチパネル方式のユーザ入力部３６、通話・データ通信用送受信部３７等を有する。
【００１９】
しかして、周知のように、前記出力部３５、制御部３２、ユーザ入力部３６はそれぞれ、端末４における、出力機能、制御機能（セキュリティロック機能を含む）、ユーザ入力機能を提供する部分である。また前記通話・データ通信用送受信部３７は、端末４において、通話やデータ通信などの主要な通信の送受信を行う部分である。
【００２０】
一方、「ＢＬＥ」の機能を有する鍵用電波送受信部３１は、省電力として最適なブルートゥース等の近距離用電波の送受信を行う部分である。端末４は前記鍵用電波送受信部３１を利用して錠前用制御装置１２と部屋外の電波圏内（部屋Ｒのドア１１の外壁面付近）で省電力の近距離通信を行うことができる。また認証部３４は、例えば端末４の唯一の識別情報、ユーザＵが所持する或いは身に付けている錠前用端末キー（例えば出願人が近い将来販売予定の「ＢＬＥ」の機能を有する端末キー）の識別情報、宿泊施設側の解錠コード発行部２から取得したＩＤ等が正規のものかどうかについて、記憶部３３の唯一の識別情報、ホテルから一時的に取得したＩＤ等を使用して認証する部分である。なお、認証部３４は、例えば、パスワード認証や生体認証（指紋や声紋等、人体に関する認証）などを行う機能を有する。
【００２１】
次に図３は、錠前用制御装置１２の要部を示すブロック図である。図３に於いて、錠前用制御装置１２は、前述したように「ＢＬＥ」の機能を有する端末用通信部１３、錠制御部１４、記憶部１５の他、認証部１６等を有し、前記錠制御部１４は駆動信号出力部１７に駆動信号を出力して電気錠５を解錠乃至施錠する。なお、特に図示しないが、実施形態によっては、前記錠制御部１４は駆動信号出力部１７を介して扉自動開閉装置を制御する。
【００２２】
しかして、前記端末用通信部１３は、端末４から出力されたＩＤを受信するＢＬＥ送受信部１３ａ、前記ＢＬＥ送受信部で得られた高周波を増幅・検波する増幅・検波部１３ｂ、前記増幅・検波部１３ｂにて復調された受信情報を「１」と「０」の所定のコードに変換して出力する１／０変換部１３ｃを有する。また前記錠制御部１４は、例えば部屋Ｒの壁面、その出入り口のドア１１、錠箱の内部等のいずれかに配設されている。
【００２３】
また前記記憶部１５は、図示しないＣＰＵ、ＲＯＭ及びＲＡＭを有して構成され、ＲＯＭにはＣＰＵを制御するためのプログラムと製造番号や端末番号、解錠コード発行部２が発行したＩＤを特定する登録情報、施・解錠ログ情報等が記憶されている。また前記認証部１６は、１／０変換部１３ｃから得られた受信情報（例えばＩＤ等）が予め登録されたものか否かを比較・判定し、登録されたものであると判断すると、錠制御部１４は電気錠５の解錠及び施錠を制御する。
【００２４】
なお、実施形態によっては、前記錠制御部１４は電気錠５の制御と共に、部屋番号、施・解錠ログ情報等を、図示しない信号出力部を介して図１で示すセンター処理部７へ出力する。
【００２５】
次に図４は、部屋用制御装置２１の要部を示すブロック図である。図４に於いて、部屋用制御装置２１は、前述したように、「ＢＬＥ」の端末用通信部２２、制御部２３、記憶部（ＩＤ等を格納）２４の他、認証部２５、計時手段２８等が設けられている。そして、該部屋用制御装置２１には電灯２７ａ、エアコン２７ｂ、テレビジョン２７ｃ等の電気機器２７が接続している。
【００２６】
しかして、部屋用制御装置２１は、端末４が、少なくとも部屋Ｒ内に存在し、かつ該端末４と該部屋用制御装置２１との間で省電力の近距離通信が確立した場合、該部屋用制御装置２１の制御部２３は使用開始スイッチ２６が「オン」の状態になるように制御する。
【００２７】
したがって、特許文献１や特許文献２の従来技術ではカードホルダーが、そのケースの内部空間の下部に使用開始スイッチとしてのマイクロスイッチを内装し、該マイクロスイッチ等が照明制御部を作動するためのものである点で、本実施形態とは著しく相違する。
【００２８】
付言すると、ユーザＵが端末４を所持して電気錠５を解錠した後、部屋Ｒのドア１１を開け、該部屋Ｒに入り、所定時間（例えば５秒、８秒、10秒、１５秒等）内に部屋用制御装置２１の電波圏内に入ったならば、該部屋用制御装置２１の制御部２３は使用開始スイッチ２６が「オン」の状態になるように制御する。
【００２９】
したがって、部屋用制御装置２１の制御部２３は、無線インターフェイスを介して信号を処理する電気素子を有し、必要なＣＰＵ、ソフト、記憶部２４及び認証部２５を含むと共に、さらに、図示しない出力側のリレーを含み、電気素子とは物理的に別個な単数又は複数のマイクロスイッチは含まれない。なお、電気機器２７は電源６が適宜に接続している。また特許文献１や特許文献２では、カード挿入口を有するカードホルダーが部屋の出入口付近の室内壁に垂直状態で固定されているが、実施形態は該カードホルダーを積極的に排除するものではなく、該カードホルダーは有っても、なくても良い（本発明の特定要件ではない）。
【００３０】
次に図５乃至図７を参照にして本発明の主要部の処理順序を説明する。図５の（ａ）は、錠前用制御装置１２とユーザＵが所持する端末４との関係を示す概略説明図、図５の（ｂ）は、部屋用制御装置２１とユーザＵが所持する端末４との関係を示す概略説明図である。
【００３１】
図５の（ａ）に於いて、ユーザＵはフロント２からＩＤをもらって自己の宿泊する部屋（例えば個室）Ｒに向かう途中である。ユーザＵは端末４の記憶部３３に前記ＩＤを一時的に格納している。該ＩＤには宿泊可能な条件（日時、時間帯、部屋番号等）が含まれている。部屋用制御装置２１の端末用通信部２２は、「ＢＬＥ」の規格の範囲内に電波を流している。図５の（ａ）では、例えば部屋用制御装置２１を床面Ｆに設置されているものとし、該部屋用制御装置２１を中心として略弧状に描かれた範囲が通信圏内（電波圏内）と仮定する。この通信圏内は部屋Ｒの広さに如何によるが、部屋Ｒの広く、部屋Ｒ内であっても通信圏外の所がある一方、ドア１１の外壁面１１ａ付近まで電波が流れているものと仮定する。実施形態ではドア１１の外壁面１１ａ付近まで電波が流れるが、その必要はない。つまり、図５の（ａ）は説明の便宜上のものである。
【００３２】
ユーザＵは端末４を所持しながら自分の部屋Ｒの前記ドア１１の外壁面１１ａ付近に至ると、前記端末４は錠前用制御装置１２の端末用通信部１３のＢＬＥ送受信部１３ａは、「ＢＬＥ」の規格の範囲内に電波を流しているので、その通信圏内（電波圏内）に入る。その時の処理順序は、例えば後述の図８に示す通りである。電気錠を解錠する処理順序は、本発明の特定事項ではないので、後述する。
【００３３】
図５の（ｂ）は、錠前用制御装置１２と端末４の間で通信のやり取りをして電気錠５が解錠し、ドア１１を開け、ユーザＵが端末４を所持しながら部屋Ｒに入った所を示す（現在進行形）。そこで、ユーザＵが該部屋Ｒに入り、所定時間（例えば５秒等）内に部屋用制御装置２１の電波圏内に入ったならば、該部屋用制御装置２１の制御部２３は使用開始スイッチ２６が「オン」の状態になるように制御し、電灯２７ａが点灯し、エアコン２７ｂ等の使用が可能になる。
【００３４】
以上のように、本発明は、端末４が、少なくとも自分に与えられた部屋Ｒ内に存在し、かつ該端末４と前記部屋Ｒ内の適宜箇所に配設された部屋用制御装置２１との間で省電力の近距離通信が確立した場合、該部屋用制御装置２１の制御部２３は、その使用開始スイッチ２６が「オン」の状態になるように制御するものである。
【００３５】
次に、図６の（ａ）は、端末４の電源が切れた場合でもスイッチＯＮの状態を示す概略説明図、図６の（ｂ）は、例えばユーザＵが比較的広い部屋Ｒに宿泊することになり、該広い部屋Ｒに在室中であるものの、自己の端末４を部屋用制御装置２１の電波がと届かない通信圏外に置いた場合を示している。このような事態になっても、実施形態では、屋用制御装置２１は使用開始スイッチ２６のＯＮの状態を維持する。一方、図７は上記図６の（ａ）及び（ｂ）のスイッチＯＮの状態を維持することができず、「在室」から「不在」と扱う条件を示す。
【００３６】
したがって、部屋用制御装置２１は、使用開始スイッチ２６が「オン」の状態が成立した後、錠前用制御装置１２から錠前５の解錠或いは施錠に関する状態変化信号を取得し、かつ、端末４と該部屋用制御装置２１との間で省電力の近距離通信が確立しない状態になった場合には、前記使用開始スイッチ２６を「オフ」の状態になるように制御する。
【００３７】
付言すると、「在室」から「不在」と見做す条件を、ＢＬＥ送受信部３１を有する端末４が部屋用制御装置２１のＢＬＥの端末用通信部２２との間で通信しないこと、及び、錠前用制御装置１２の端末用通信部１３と端末との通信のやり取りに起因して錠前の施・解錠状態が変化した時、或いは錠前が手動／電動により、「施錠−解錠」や「施錠−解錠−施錠」などに起因して錠前の施・解錠状態が変化した時（いわゆる「ＡＮＤ条件」を充足することにより）、電気機器２７に電源６を供給しなくなる。
【００３８】
以上のように、本発明では、実施形態として、部屋用制御装置２１は、その使用開始スイッチ２６が「オン」の状態が成立した後、錠前用制御装置１２から有線又は無線により錠前５の解錠或いは施錠に関する状態変化信号を取得し、かつ、端末４と該部屋用制御装置２１との間で省電力の近距離通信が所定時間内に確立しない状態になった場合には、使用開始スイッチ２６を「オフ」の状態になるように制御する。
【００３９】
次に図８は、端末４と錠前用制御装置１２の間の処理順序を示すフローチャートである。この図８では、図面上方に端末４が存在し、該端末４を所持するユーザＵがドア１１に接近すると、図面下方の錠前用制御装置１２の無線圏内Ｙに入ることを示す。
【００４０】
まず端末４は、ホテルのフロントに行ったとき、既に電源が入っているものとする。周知のように端末４には電源がＯＮであっても所定時間経過するとスリープの状態になる。また自己の制御部３２により、セキュリティロックが掛かっている（ステップＳ１）。端末４は無断で他人に使用されないように適宜にセキュリティロックが掛かっているので、正規のユーザＵは、パスワード、指紋、網膜等の認証により、好きな時にセキュリティロックを解くことができる。
【００４１】
ここでは、正規のユーザＵが自己の意思でセキュリティロックを解く前に、端末４はセキュリティロックが掛かっている状態で自己のペア（錠前用制御装置１２）を探す（ステップＳ２）、つまり、通信を開始する（ステップＳ３）。
【００４２】
端末４と錠前用制御装置１２との間で無線（通信）が確立しない場合には、端末４はセキュリティロックのままであり、少なくとも他人はセキュリティロックを解くことができない。そこで、ユーザＵは図面下方の宿泊する部屋の扉１１の方向へ歩いて行くと、端末４は無線圏内Ｙに入り、錠前用制御装置１２と通信が確立できるに状態になる。端末４は自己のセキュリティロックを自動的に解く（ステップＳ４）。これにより、端末４は通常の使用状態となる（ステップＳ５）。
【００４３】
そこで、錠前用制御装置１２の質問器と端末４の応答器との間で「呼応」が行われる（ステップＳ６）。認証の結果、端末４からの応答（ＩＤ）が正規の識別情報である場合には認証が成立する（ステップＳ７）。錠前用制御装置１２は電気錠５を解錠する（ステップＳ８）。なお、図８のフローチャートは本発明の従属的な事項である。
【００４４】
次に図９は、部屋用制御装置２１が電気機器２７に電源を供給する場合の処理順序を示すフローチャートである。図５の（ｂ）で説明したように、錠前用制御装置１２と端末４の間で通信のやり取りをして電気錠５が解錠する（Ｓ１）。そこで、ユーザＵは部屋のドア１１を開け、端末４を所持しながら部屋Ｒに入る。次に、前記電気錠５が解錠してから所定時間（例えば５秒、10秒等）内に部屋用制御装置２１の端末用通信部２２の電波圏内Ｚに前記端末４が入ったか否か判断される（Ｓ２）。前記所定時間内に部屋用制御装置２１と端末４の間で通信が確立したならば（Ｓ３）、端末４から部屋用制御装置２１にＩＤが送信される（Ｓ４）。実施形態では、部屋用制御装置２１の認証部２５は前記ＩＤと記憶部２３のＩＤと比較・認証する（Ｓ５）。その結果、認証が成立したならば、部屋用制御装置２１の制御部２３は使用開始スイッチ２６が「ＯＮ」の状態になるように制御する（Ｓ６）。そこで、電灯２７ａが点灯し、エアコン２７ｂ等の使用が可能になる。
【００４５】
次に図１０は、部屋用制御装置２１が電気機器２７に電源を供給しない場合の処理順序を示すフローチャートである。図９で説明したように、使用開始スイッチ２６が「ＯＮ」の状態になり、電気機器２７に電源を供給中である。実施形態では、図６の（ａ）と（ｂ）で説明したように「ＡＮＤ条件」を満足しないと、使用開始スイッチ２６は「ＯＦＦ」の状態にはならない。そこで、図１０のフローチャートは簡単に示す。
【００４６】
部屋用制御装置２１は、使用開始スイッチ２６が「オン」の状態が成立した後、部屋用制御装置２１は錠前用制御装置１２を監視し、錠前用制御装置１２から錠前５の解錠或いは施錠についての状態変化信号を取得したか否かを判断する（Ｓ１１）。
【００４７】
普通一般にユーザＵがホテルの部屋Ｒのドア１１を開けて外へ出て行く場合には、例えばドア１１の錠前５のサムターン摘みを回して解錠にする場合、ドア１１の室内ハンドルを操作してドア１１を開け、その後にドア１１を閉めると自動的に施錠になる場合等がある。
【００４８】
そこで、部屋用制御装置２１は、まず錠前用制御装置１２から錠前５の解錠した或いは施錠した信号について、「錠前の状態信号」を取得する（Ｓ１１）。次に、所定時間内（例えば、20秒、３０秒等）内に端末４との通信が不成立になった信号を錠前用制御装置１２から取得する（Ｓ１２）。そこで、部屋用制御装置２１は、「ＡＮＤ条件」を満足したので、使用スイッチ２７を「ＯＦＦ」にする（Ｓ１３）。その結果、電気機器の電灯２７ａが消灯する。
【実施例】
【００４９】
次に、図１１及び図１２を参照にして、本発明の第２実施形態を説明する。なお、第２実施形態の説明に当って、第１実施形態と同一の部分には同一又は同様の符号を付して重複する説明を割愛する。
【００５０】
この第２実施形態が第１実施形態と主に異なる事項は、通信端末（端末）４Ａである。図１１は第２実施形態を示すシステムＸ１の全体構成を示す概略説明図であるが、ユーザＵが所持する端末は自己が所有する物ではなく、宿泊施設側が所有権を有し、端末としてのブレード４２を有する錠前用端末キー４Ａは、例えばホテルのフロントでの受付けの際、宿泊施設側が前記ユーザＵに手渡す物である。
【００５１】
したがって、第２実施形態では、前記錠前用端末キー４Ａが、少なくとも部屋Ｒ内に存在し、かつ該錠前用端末キー４Ａと部屋用制御装置２１との間で省電力の近距離通信が確立した場合、該部屋用制御装置２１はその使用開始スイッチ２６が「オン」の状態になるように制御する。第２実施形態の説明に必要なフローチャートは、第１実施形態の図９及び図１０を援用する。
【００５２】
図１２は錠前用端末キー４Ａの要部を示すブロック図である。錠前用端末キー４Ａは解錠用溝４３を有するブレード４２に続く摘み状操作部４４と、該摘み状操作部に内蔵され、宿泊施設側が付与したＩＤ及び前記摘み状操作部の回転操作に基づいて検知部４５に検出された最新の施・解錠ログ情報とを記憶する記憶部４６と、該記憶部に格納されている情報を処理する制御部４７と、この制御部に制御されかつ前記記憶部４６に記録されている、少なくとも前記ＩＤを錠前用制御装置１２並びに部屋用制御装置２１のそれぞれに省電力の近距離無線で自動送信する或いは手動により送信する通信端末用通信部４８を有する。
【００５３】
なお、この錠前用端末キー４Ａは、出願人が販売中の「ｃｈｅｃｋｅｙ、チェッキー（登録商標）」と称する商品を新規に改良したものであることから、スイッチ部材Ｓを含む施解錠表示機構、施・解錠状態を表示する付加的な窓部４９を有する。
【００５４】
付言すると、錠前用端末キー４Ａは、鍵としてのブレード４２を支持すると共に、スイッチ部材Ｓを含む施解錠表示機構を有する握り部（摘み状操作部）４４を備え、長孔状の窓部４９から、例えば色彩（白、橙、文字など）を視認することによって当該錠前用端末キー４Ａの現在の情報を知ることができる施・解錠状態の表示鍵である。
【００５５】
錠前用端末キー４Ａの電気的構成の説明をする。ここではスイッチ部材Ｓが作動し、例えば錠前用端末キー４Ａが解錠状態になったものと仮定する。この解錠状態は磁石又は可動接片或いは又光電素子等を採用した検知部４５によって検出される。つまり、前記スイッチ部材Ｓは錠前用端末キー４Ａの操作信号を物理的に検出するものであるが、前記検知部４５は錠前用端末キー４Ａの操作信号を電気的に検出する。検知部４５によって検出された解錠信号は、最新の施・解錠情報として記憶部４６の特定領域に一時的に格納される。前述したように該記憶部４６は、錠前用制御装置１２並びに部屋用制御装置２１のそれぞれに送信するＩＤを有している。
【００５６】
そこで、制御部４７は、前記錠前用制御装置１２並びに部屋用制御装置２１のそれぞれの電波圏内で通信が可能になると、例えば直ちに又は所定時間経過後のいずれかに前記識別ＩＤを通信端末用通信部４８に自動送信するように指示する。つまり、錠前用制御装置１２に対して解錠情報等を送信するようにとの動作指示コマンドを与える。したがって、通信端末用通信部４８は動作指示コマンドを受けると、錠前用制御装置１２に対してＩＤ（解錠するために必要な情報）を送信する。
【００５７】
またユーザＵが部屋Ｒに入ると、部屋用制御装置２１に使用スイッチ２７をＯＮにするためにＩＤを送信する。このように構成しても、第１実施形態と同様の効果を得ることができる。
【００５８】
ところで、上記第２実施形態に於いて、第１実施形態の所持型の通信端末４をさらに加味し、該通信端末４は宿泊施設側の解錠コード発行部２からＩＤを取得し、該通信端末４が錠前用制御装置１２の電波圏内に存在し、かつ該通信端末４と該錠前用制御装置１２との間で省電力の近距離通信が確立した時、該錠前用制御装置１２は前記通信端末４から前記近距離通信で前記ＩＤを取得するように構成しても良い。このように構成すると、ユーザＵは、両方の端末４、４Ａを任意に利用することができるので、さらに利便性が向上する。
【産業上の利用可能性】
【００５９】
本発明は、宿泊施設の部屋の省エネルギー装置として利用することができる。
【符号の説明】
【００６０】
Ｘ、Ｘ１…宿泊施設の部屋の省エネルギー装置、
Ｙ…錠前用制御装置と端末との通信範囲（第１の圏内）、
Ｚ…部屋用制御装置と端末との通信範囲（第２の圏内）、
Ｒ…部屋、
Ｕ…宿泊者（ユーザ）、
１…フロント、２…解錠コード発行部、
４、４Ａ…所持型の通信端末（端末）、
５…錠前（電気錠、
６…電源、
１１…部屋のドア、
１２…錠前用制御装置、
１３…「ＢＬＥ」の機能を有する端末用通信部、
１４…錠制御部、
１５…記憶部、
１６…認証部、
１７…駆動信号出力部、
２１…部屋用制御装置、
２２…「ＢＬＥ」の端末用通信部、
２３…制御部、
２４…記憶部（ＩＤ等を格納）、
２５…認証部、
２６…使用開始スイッチ、
２７…電気機器、２８…計時手段。
【図１】
2016189068.tif 000003
【図２】
2016189068.tif 000004
【図３】
2016189068.tif 000005
【図４】
2016189068.tif 000006
【図５】
2016189068.tif 000007
【図６】
2016189068.tif 000008
【図７】
2016189068.tif 000009
【図８】
2016189068.tif 000010
【図９】
2016189068.tif 000011
【図１０】
2016189068.tif 000012
【図１１】
2016189068.tif 000013
【図１２】
2016189068.tif 000014